(57)【要約】【課題】ユーザデータの記録に不具合を生じることなく、記録データ信号とクロック信号との位相差の調整を行うレーザ駆動装置を提供する。【解決手段】  本発明のレーザ駆動装置１００は、情報記録媒体４００に対してレーザ光の照射を行うことで、記録データ信号に基づくデータの記録を行うレーザ光照射装置２３１を駆動させるレーザ駆動装置１００であって、記録データ信号を、該記録データ信号に同期したクロック信号でストローブするストローブ手段１０３と、ストローブされた記録データ信号に基づいてレーザ光照射装置を駆動させる駆動手段１０４と、周期的または一時的に、クロック信号と記録データ信号との間の位相差を調整する調整手段１０１とを備える。【選択図】図３
2010262707.tif 000002
【特許請求の範囲】
【請求項１】
情報記録媒体に対してレーザ光の照射を行うことで、記録データ信号に基づくデータの記録を行うレーザ光照射装置を駆動させるレーザ駆動装置であって、
前記記録データ信号を、該記録データ信号に同期したクロック信号でストローブするストローブ手段と、
ストローブされた前記記録データ信号に基づいて前記レーザ光照射装置を駆動させる駆動手段と、
周期的または一時的に、前記クロック信号と前記記録データ信号との間の位相差を調整する調整手段と
を備えることを特徴とするレーザ駆動装置。
【請求項２】
前記クロック信号から内部クロック信号を生成する位相ロックループ回路を更に備え、
前記記録データ信号は、前記内部クロック信号によりストローブされるとともに、前記調整手段は、周期的または一時的に、前記記録データ信号を前記内部クロック信号でストローブするタイミングを調整することを特徴とする請求項１に記載のレーザ駆動装置。
【請求項３】
前記調整手段は、周期的または一時的に、前記記録データ信号をストローブする前記クロック信号の位相を反転させることを特徴とする請求項１または２に記載のレーザ駆動装置。
【請求項４】
前記クロック信号に基づき、位相が相異なる複数の多相クロック信号を生成する多相クロック生成手段を更に備え、
前記調整手段は、周期的または一時的に、前記複数のクロック信号から、前記記録データ信号をストローブするための信号を選択することを特徴とする請求項１または２に記載のレーザ駆動装置。
【請求項５】
前記調整手段は、前記情報記録媒体に設けられる特定のエリアにおいて、前記クロック信号と前記記録データ信号との間の位相差を調整することを特徴とする請求項１から４のいずれか一項に記載のレーザ駆動装置。
【請求項６】
前記特定のエリアは、ＡＰＣ（Ａｕｔｏ  Ｐｏｗｅｒ  Ｃｏｎｔｒｏｌ）エリアであることを特徴とする請求項５に記載のレーザ駆動装置。
【請求項７】
前記調整手段は、前記情報記録媒体の回転における線速度が変更される場合に、前記クロック信号と前記記録データ信号との間の位相差を調整することを特徴とする請求項１から６のいずれか一項に記載のレーザ駆動装置。
【請求項８】
前記調整手段は、当該レーザ駆動装置内の温度が所定の閾値を超えて変化した場合に、前記クロック信号と前記記録データ信号との間の位相差を調整することを特徴とする請求項１から７のいずれか一項に記載のレーザ駆動装置。
【請求項９】
前記調整手段が前記クロック信号と前記記録データ信号との間の位相差を調整している場合、前記記録データ信号は、所定のパターンのマーク部及びスペース部を示す信号であることを特徴とする請求項１から８のいずれか一項に記載のレーザ駆動装置。
【請求項１０】
前記所定のパターンは、前記情報記録媒体が準拠する規格の中で最も短いラン長部の繰返しであることを特徴とする請求項９に記載のレーザ駆動装置。
【請求項１１】
前記所定のパターンは、前記情報記録媒体が準拠する規格の中で最も長いラン長部の繰返しであることを特徴とする請求項９に記載のレーザ駆動装置。
【請求項１２】
前記所定のパターンは、前記情報記録媒体が準拠する規格の中で最も短いラン長部及び最も長いラン長部の繰返しであることを特徴とする請求項９に記載のレーザ駆動装置。
【請求項１３】
前記調整手段が前記クロック信号と前記記録データ信号との間の位相差を調整している場合、レーザ光照射装置は、前記情報記録媒体に対し所定のレーザパワーでのレーザ光の照射を行うことを特徴とする請求項１から１２に記載のレーザ駆動装置。
【請求項１４】
前記所定のレーザパワーは、データ再生用のリードパワーまたはスペース部のデータ記録用のスペースパワーであることを特徴とする請求項１３に記載のレーザ駆動装置。
【請求項１５】
情報記録媒体に対してレーザ光の照射を行うことで、記録データ信号に基づくデータの記録を行う情報記録装置であって、請求項１から１４のいずれか一項に記載のレーザ駆動装置を備えることを特徴とする情報記録装置。
【発明の詳細な説明】
【技術分野】
【０００１】
本発明は、光ディスクなどの情報記録媒体に対しレーザ光を照射することで情報の記録を行う情報記録装置に備えられ、レーザ光の出力を変動させつつ照射を行うよう制御するレーザ駆動装置及び該レーザ駆動装置を備える情報記録装置の技術分野に関する。
【背景技術】
【０００２】
一般的な情報記録装置による光ディスクなどの情報記録媒体に対するデータの記録の際には、該情報記録装置が備えるレーザダイオードから光ディスクの記録層に向けてレーザ光が照射されることで、該光ディスク上に記録マークないしは記録ピットが形成される。これにより、光ディスクにデータが記録される。
【０００３】
データの記録に際し、レーザ駆動回路（言い換えればレーザ駆動装置）の動作により、レーザダイオードから照射されるレーザ光は、その波形やパワーの変動が制御される。レーザ光の波形やパワーは、一般的に、クロック信号をトリガとして高速且つ連続的に変化し、このようなパルス化されたレーザ光の波形及びパワーの変動のパターンはライトストラテジと称される。所望のデータの記録を実施するために、レーザ駆動回路は、ライトストラテジに即したレーザ光の波形及びパワーの変動を制御することが必要であり、そのための様々な手法が用いられている。
【０００４】
例えば、レーザパワーの変調信号をデータ記録用のクロック信号をトリガとしてストローブすることでライトストラテジを生成する技術が知られている。このような技術においては、変調信号の入力と、ストローブするためのクロック信号の入力との位相の間に充分なマージン（つまり、ストローブマージン）が確保されることが重要となる。充分なストローブマージンが確保されない場合、間違った変調指示により、記録データにエラーが発生する虞がある。また、変調信号とクロック信号との間のストローブマージンは、信号の受信側において確保されている必要がある。このため、例えば出力側のレーザ回路において十分なストローブマージンを確保して信号の伝送を行ったとしても、伝送路における温度変化や、電源電圧の変動などによって受信側での位相に変動が生じ、ストローブマージンが必ずしも確保されない状況が生じてしまうという技術的な問題もある。このような問題に鑑み、変調信号とクロック信号との位相関係が適切なストローブマージンを確保し得るように、信号の位相を調整する技術が研究されている。
【０００５】
例えば、特許文献１には、ストローブされた変調信号による変調エラーを検出し、エラーが検出された場合にはクロック信号の位相を反転させることで、ストローブマージンを確保する技術が開示されている。
【先行技術文献】
【特許文献】
【０００６】
【特許文献１】特開２００４−３４８８４８号公報
【発明の概要】
【発明が解決しようとする課題】
【０００７】
上述したように、データの記録に際しては、変調信号とクロック信号とのストローブマージンが充分に確保されることが重要となる。しかしながら、特許文献１に記載の技術によれば、データの記録中に位相の調整が実施されるため、光ディスクにおけるデータが記録される領域（つまり、ユーザデータエリア）において調整が行われることとなる。このため、ユーザデータエリアに誤ったデータを記録してしまい、記録データのエラーの発生率が悪化するという別の技術的な問題を生じかねない。また、データの記録中に一端記録を止めて調整しているため、データの記録時間が長引き、これは、より短時間でのデータの記録の実現が要望されているという点から好ましくない。
【０００８】
本発明は、例えば上述した従来の問題点に鑑み為されたものであり、更なる記録データエラーを生じさせることなく、また記録時間の延長を抑制し、記録データ信号とクロック信号との位相差の調整を実現し得るレーザ駆動装置を提供することを課題とする。
【課題を解決するための手段】
【０００９】
上記課題を解決するために、本発明のレーザ駆動装置は、情報記録媒体に対してレーザ光の照射を行うことで、記録データ信号に基づくデータの記録を行うレーザ光照射装置を駆動させるレーザ駆動装置であって、前記記録データ信号を、該記録データ信号に同期したクロック信号でストローブするストローブ手段と、ストローブされた前記記録データ信号に基づいて前記レーザ光照射装置を駆動させる駆動手段と、周期的または一時的に、前記クロック信号と前記記録データ信号との間の位相差を調整する調整手段とを備える。
【００１０】
上記課題を解決するために、本発明の情報記録装置は、情報記録媒体に対してレーザ光の照射を行うことで、記録データ信号に基づくデータの記録を行う情報記録再生装置であって、上述のレーザ駆動装置を備える。
【００１１】
本発明の作用及び他の利得は次に説明する実施の形態から明らかにされよう。
【図面の簡単な説明】
【００１２】
【図１】ＮＲＺＩ信号とＮＣＬＫ信号とのストローブマージンを示す図である。
【図２】ＢＤのフォーマットを示す図である。
【図３】本実施例のレーザ駆動装置の回路構成の一例を示すブロック図である。
【図４】本実施例のレーザ駆動装置による位相調整に係るタイミングチャートである。
【図５】本実施例のレーザ駆動装置の動作の一例を示すフローチャートである。
【図６】本実施例のレーザ駆動装置の動作の一例を示すフローチャートである。
【図７】本実施例のレーザ駆動装置の動作の一例を示すフローチャートである。
【図８】本実施例のレーザ駆動装置の動作の一例を示すフローチャートである。
【図９】本実施例のレーザ駆動装置の回路構成の一例を示すブロック図である。
【図１０】本実施例のレーザ駆動装置による位相調整に係るタイミングチャートである。
【図１１】本実施例のレーザ駆動装置の回路構成の一例を示すブロック図である。
【図１２】本実施例のレーザ駆動装置による位相調整に係るタイミングチャートである。
【図１３】本実施例の情報記録装置の構成の一例を示すブロック図である。
【発明を実施するための形態】
【００１３】
本発明のレーザ駆動装置に係る実施形態は、情報記録媒体に対してレーザ光の照射を行うことで、記録データ信号に基づくデータの記録を行うレーザ光照射装置を駆動させるレーザ駆動装置であって、前記記録データ信号を、該記録データ信号に同期したクロック信号でストローブするストローブ手段と、ストローブされた前記記録データ信号に基づいて前記レーザ光照射装置を駆動させる駆動手段と、周期的または一時的に、前記クロック信号と前記記録データ信号との間の位相差を調整する調整手段とを備える。
【００１４】
本発明のレーザ駆動装置に係る実施形態によれば、記録データ信号と該記録データ信号をストローブするためのクロック信号とからライトストラテジが生成される。尚、本実施形態に係る記録データ信号は、ＮＲＺＩ信号（Ｎｏｎ  Ｒｅｔｕｒｎ  ｔｏ  Ｚｅｒｏ  Ｉｎｖｅｒｔｅｄ）などであって、例えば該ＮＲＺＩ信号におけるハイレベルがマーク部、ローレベルがスペース部を夫々表現するよう設定される。
【００１５】
また、本発明のレーザ駆動装置に係る実施形態によれば、特に調整手段の動作によって記録データ信号とクロック信号との間の相対的な位相差が適宜調整される。この場合、記録データ信号をストローブするためのクロック信号のタイミングが調整されることで、記録データ信号とクロック信号との間の相対的な位相差が調整されてもよいし、或いは、記録データ信号そのもののタイミングが調整されることで、記録データ信号とクロック信号との間の相対的な位相差が調整されてもよい。これにより、記録データ信号がラッチされるタイミングが調整されるため、記録データ信号とクロック信号との間で好適なストローブマージンを確保することが可能となる。
【００１６】
このような調整手段は、典型的にはレーザ駆動装置内に組み込まれる回路であって、ＮＲＺＩ信号などの記録データ信号と、クロック信号などのストローブのための信号の入力を受け、適宜ストローブのタイミングを調整する。具体的な記録データ信号とクロック信号との間の位相差の調整方法については、後に詳述する。
【００１７】
尚、本実施形態において実施されるクロック信号と記録データ信号との間の位相差の調整動作は、好適には情報記録媒体へのデータ記録中に行われることが好ましい。例えば、後述するように情報記録媒体の記録領域に設けられるＡＰＣ（Ａｕｔｏ  Ｐｏｗｅｒ  Ｃｏｎｔｒｏｌ）エリアなどにおいてクロック信号と記録データ信号との間の位相差調整を実施することで、通常の記録動作に悪影響を及ぼすことなく、好適にデータ記録中に調整動作を行うことができる。
【００１８】
また、このようなクロック信号と記録データ信号との間の位相差調整は、情報記録媒体へのデータ記録中に一時的に実施されてもよく、また周期的に実施されてもよい。例えば、上述したＡＰＣエリアは、情報記録媒体の記録領域が分割されて成る各情報記録単位の特定の部位に設けられるため、情報記録媒体へのデータの記録中には、情報記録媒体の回転に応じて周期的または断続的に現れることとなる。このとき、各ＡＰＣエリアが現れるタイミング（言い換えれば、ＡＰＣタイミング）においてクロック信号と記録データ信号との間の位相差調整を実施することで、記録データ信号のストローブのタイミングをより適切に維持した上でデータの記録を実施することが可能となる。
【００１９】
以上、説明した構成によれば、後に詳述するように、記録データのエラーレートの上昇、及び記録時間の延長を抑制し得るよう、クロック信号のタイミング調整を実施することが出来る。このため、迅速かつ良好な記録品質でデータの記録を実施することが可能となる。
【００２０】
本発明のレーザ駆動装置に係る実施形態の一の態様は、前記クロック信号から内部クロック信号を生成する位相ロックループ回路を更に備え、前記記録データ信号は、前記内部クロック信号によりストローブされるとともに、前記調整手段は、周期的または一時的に、前記記録データ信号を前記内部クロック信号でストローブするタイミングを調整する。
【００２１】
この態様によれば、レーザ駆動装置は、位相ロックループ（Ｐｈａｓｅ  Ｌｏｃｋ  Ｌｏｏｐ）回路を備え、該位相ロックループ回路の動作によりクロック信号から生成される内部クロック信号に基づき、記録データ信号のストローブが実施される。尚、内部クロック信号とは、上述のクロック信号とは異なる構成であって、典型的には、当該レーザ駆動装置の外部に設けられる信号生成回路より入力されるクロック信号に基づいて生成され、レーザ駆動装置内部での種々の動作に関連する内部クロック信号を示す趣旨である。このような内部クロック信号は、外部から入力されるクロック信号に基づいて、記録データ信号の好適なストローブを実施するために適宜周波数の変更などを行った上で生成されても良いものである。
【００２２】
また、この態様の調整手段は特に、記録データ信号のストローブのタイミングを調整するために、記録データ信号と内部クロック信号との間の位相差を調整する（例えば、内部クロック信号のタイミングを調整する）よう構成される。このため、当該レーザ駆動装置内部での内部クロック信号の位相調整を実施することで、記録データ信号とクロック信号との間の位相差調整を実施することが可能となるため、比較的単純な回路構成で上述の効果を享受することが出来る。
【００２３】
本発明のレーザ駆動装置に係る実施形態の他の態様は、前記調整手段は、周期的または一時的に、前記記録データ信号をストローブする前記クロック信号の位相を反転させる。
【００２４】
この態様によれば、調整手段によってクロック信号の位相が反転されることによって記録データ信号とクロック信号との間の位相差調整が実施される。つまり、クロック信号の周期をＴとした場合に、調整手段は、記録データ信号とクロック信号との位相関係を０．５Ｔだけズラす。このため、少なくとも０．５Ｔ分ストローブマージンが確保されるため、上述した種々の要因によって変化する記録データ信号とクロック信号との位相関係に対して充分なストローブマージンを確保することが可能となる。
【００２５】
本発明のレーザ駆動装置に係る実施形態の他の態様は、前記クロック信号に基づき、位相が相異なる複数の多相クロック信号を生成する多相クロック生成手段を更に備え、前記調整手段は、周期的または一時的に、前記複数の多相クロック信号から、前記記録データ信号をストローブするための信号を選択する。
【００２６】
この態様によれば、多相クロック生成手段の動作により、互いに位相をずらした複数のクロック信号（つまり、多相クロック信号）が生成される。そして、調整手段によって、該多相クロック信号のうち、記録データ信号をストローブするためのクロック信号が選択される。このとき、調整手段は、記録データ信号をストローブするために充分なストローブマージンが確保可能なクロック信号を選択するよう構成されていることが好ましい。
【００２７】
また、生成された多相クロック信号のうち、適切なストローブマージンが確保されているクロック信号であっても、例えば信号伝送の過程に生じるスキューの差異などにより信号出力時に適切なストローブマージンが確保されない場合がある。また、クロック信号伝送の過程において、温度による影響や電源電圧の変動などによりクロック信号の位相にズレが生じる場合もある。本態様の調整手段は、このようなクロック信号にズレが生じる可能性を加味した上で、適切な位相のクロック信号を選択するよう構成されていることが好ましい。
【００２８】
本態様における多相クロック生成手段は、典型的には、クロック信号の入力を受け、互いに位相の異なる複数の多相クロック信号を生成する回路である。また、調整手段は、典型的には、ＮＲＺＩ信号などの記録データ信号の入力を受け、該信号より抽出されるマーク長などの情報に基づき、入力される複数の多相クロック信号より適切な信号を選択して、記録データ信号をストローブするための信号とするよう構成される。
【００２９】
本発明のレーザ駆動装置に係る実施形態の他の態様は、前記調整手段は、前記情報記録媒体に設けられる特定のエリアにおいて、前記クロック信号と前記記録データ信号との間の位相差を調整する。
【００３０】
この態様によれば、情報記録媒体へのデータの記録中、該情報記録媒体に設けられる特定のエリアにおいて、上述したクロック信号と記録信号データとの間の位相差調整が実施される。このため、位相差調整期間における、情報記録媒体のユーザデータエリアへの不要なデータの記録を回避し、且つクロック信号と記録データ信号との間の位相差調整のための記録時間の延長を抑制し得るように、クロック信号と記録データ信号との間の位相差の好適な調整が実施可能となる。
【００３１】
このような特定エリアとして、例えば、上述したようなＡＰＣエリアを選択することで、より好適に上述の効果を享受することが出来る。このような特定エリアは、その他、情報記録媒体が準拠する規格に規定される所定の領域が適宜選択されても良い。
【００３２】
尚、この態様での位相差調整動作は、当該レーザ駆動装置を備える情報記録装置における信号処理部などより、情報記録媒体における該特定エリアの位置を示す信号の入力を受けることで、比較的容易に実施することが出来る。
【００３３】
以上、説明したように情報記録媒体に設けられる該エリアにおいて本実施形態の各種態様に係るクロック信号と記録信号データとの間の位相差調整が実施されることで、且つ記録時間の延長を伴わない好適なタイミング調整が実現される。
【００３４】
上述のように、情報記録媒体に設けられる特定エリアにおいて、前記クロック信号と前記記録データ信号との間の相対的な位相差を調整する態様においては、該特定エリアは、ＡＰＣエリアであっても良い。
【００３５】
一般的に、ブルーレイディスク（以下、ＢＤと記載する）などに代表される比較的高密度でのデータの記録が可能な情報記録媒体においては、記録領域が複数の情報記録単位（ＲＵＢ）に分割され、管理されている。このような情報記録単位の一部にＡＰＣエリアと呼ばれる記録領域がある。
【００３６】
例えばＢＤでは、一つのＲＵＢは、ランイン（Ｒｕｎ−ｉｎ）エリアと、物理クラスタ（Ｐｈｙｓｉｃａｌ  Ｃｌｕｓｔｅｒ）と、ランアウト（Ｒｕｎ−ｏｕｔ）エリアから構成されている。また、このようなＲＵＢの先頭であって、より具体的にはランインエリアの先頭にＡＰＣエリアが設けられている。
【００３７】
この態様によれば、情報記録媒体へのデータの記録中、該光ディスクに設けられるＡＰＣエリアにおいて、上述するクロック信号と記録データ信号との間の位相差調整が実施される。このため、情報記録媒体のユーザデータエリアへの不要なデータの記録を回避し、且つクロック信号と記録データ信号との間の位相差調整のための記録時間の延長を抑制し得るように、クロック信号と記録データ信号との間の位相差の好適な調整が実施可能となる。
【００３８】
上述したように、ＡＰＣエリアは、一般的なＢＤ規格においてごく狭い領域でしかなく、そのため、一のＡＰＣエリアを利用するのみでは、上述したクロック信号と記録データ信号との間の位相差調整が完了しない場合がある。また、ＡＰＣエリアは各情報記録単位の先頭部に設けられていることから、データの記録中など情報記録媒体の回転によっては周期的または断続的に現れることになる。
【００３９】
このようなＡＰＣエリアの性質を利用して、本実施形態のレーザ駆動装置のこの態様は、複数のＡＰＣエリアを用いてクロック信号と記録データ信号との間の位相差調整を行っても良い。このように構成すれば、より高精度に適切なストローブマージンを確保し得るように、クロック信号と記録データ信号との間の位相差調整が可能となる。
【００４０】
尚、この態様の調整手段は、当該レーザ駆動装置を備える情報記録装置における信号処理部などより、情報記録媒体におけるＡＰＣエリアの位置を示す信号の入力を受けることで、比較的容易にＡＰＣエリアでのクロック信号と記録データ信号との間の位相差調整動作を実施することが出来る。
【００４１】
以上、説明したように情報記録媒体に設けられるＡＰＣエリアにおいて本実施形態の各種態様に係るクロック信号と記録データ信号との間の位相差調整動作が実施されることで、ユーザデータエリアへの不要なデータの記録を行わず、且つ記録時間の延長を伴わない好適なクロック信号と記録データ信号との間の位相差調整が実現される。
【００４２】
本発明のレーザ駆動装置に係る実施形態の他の態様は、前記調整手段は、前記情報記録媒体の回転における線速度が変更される場合に、前記クロック信号と前記記録データ信号との間の位相差を調整する。
【００４３】
情報記録媒体へのデータの記録中、読み取り位置における回転線速度が変更される場合、クロック信号の信号幅に変化が生じる場合がある。このようなクロック信号の信号幅の変化に起因して、記録データ信号との間の位相にズレが生じ、ストローブマージンの減少に繋がる可能性がある。
【００４４】
そこで、この態様によれば、情報記録媒体へのデータの記録中、該情報記録媒体の読み取り位置における線速度が変更されるタイミングにおいて、上述するクロック信号と記録データ信号との間の位相差調整が実施される。従って、クロック信号と記録データ信号との間に意図せぬ位相差が生じる可能性のある情報記録媒体の回転線速度の変更時に、適切に該位相差を調整し、好適なストローブマージンを確保することが出来る。
【００４５】
本発明のレーザ駆動装置に係る実施形態の他の態様は、前記調整手段は、当該レーザ駆動装置内の温度が所定の閾値を超えて変化した場合に、前記クロック信号と前記記録データ信号との間の位相差を調整する。
【００４６】
一般的に、信号伝送の経路において著しい温度の変化が生じる場合には、伝送線の特性により信号伝送に遅延が生じる可能性があることが知られている。また、二値的なデジタル信号であるクロック信号であっても、信号スキューの関係により、温度変化に起因するスレッシュホールド電圧の変化に応じて伝送タイミングにズレが生じる可能性がある。このため、当該レーザ駆動装置における、少なくともクロック信号の伝送経路で所定量以上の温度変化が生じる場合には、記録データ信号をストローブするクロック信号のタイミングにズレが生じかねないという技術的な問題がある。
【００４７】
そこで、この態様によれば、情報記録媒体へのデータの記録中、当該レーザ駆動装置内で所定の閾値を超えて温度が変化する場合に、上述するクロック信号と記録データ信号との間の位相差調整が実施される。従って、クロック信号と記録データ信号との間に意図せぬ位相差が生じる可能性のある著しい温度変化が生じる場合に、適切に該位相差を調整し、好適なストローブマージンを確保することが出来る。
【００４８】
尚、この態様における温度変化の所定の閾値は、クロック信号と記録データ信号との間に許容不可能な位相差が生じるような温度変化を示す趣旨であり、予め適切な手法によって設定されていることが好ましい。
【００４９】
本発明のレーザ駆動装置に係る実施形態の他の態様は、前記調整手段が前記クロック信号と前記記録データ信号との間の位相差を調整している場合、前記記録データ信号は、所定のパターンのマーク部及びスペース部を示す信号である。
【００５０】
この態様によれば、調整手段によりクロック信号と記録データ信号との間の位相差調整が実施されている間は、記録データ信号として、予め設定される所定のパターンのマーク部及びスペース部を指定するデータが供給される。そして、供給される所定のパターンを示す記録データ信号に対して、クロック信号と記録データ信号との間の位相差調整が実施される。
【００５１】
このように構成することで、クロック信号と記録データ信号との間の位相差調整の間、予め設定された所定のパターンと異なるパターンのデータがストローブされた場合、適切ストローブが行われていないと判断できるため、ストローブのエラーを好適に検出することが可能となる。
【００５２】
例えば、記録データ信号を、クロック信号の立ち上がりエッジをトリガとしてストローブする構成において、記録データ信号の立ち上がりエッジまたは立ち下がりエッジと、クロック信号の立ち上がりエッジとがほぼ重なるように同期されている場合、いずれかの信号のタイミングにズレが生じる場合、ストローブの態様に変化が生じる場合がある。このとき、マーク部を記録するにあたって、記録データ信号の遅延により立ち上がりタイミングがズレた場合、クロック信号の１周期後の立ち上がりエッジで改めてストローブされることになり、クロック信号の周期をＴとすると１Ｔ分マーク部の開始が遅れる。そして、該マーク部の終了を指定する記録データ信号の立ち下がりエッジが適切にストローブされた場合、マーク部の終了タイミングは変化しないため、本来記録されるラン長（即ち、マーク長及びスペース長）より１Ｔ少ないマーク部が記録されてしまう。
【００５３】
然るに、この態様によれば、所定のパターンとは異なるラン長のパターンがストローブされてしまうという、所謂ランレングス違反を比較的容易に検出することが出来る。また、このようなランレングス違反を修正するようクロック信号と記録データ信号との間の位相差調整を実施することで、より適切なストローブのタイミングを維持してデータの記録を実施することが可能となる。
【００５４】
尚、この態様に用いられる所定のパターンは、少なくとも信号を供給する側（例えば、当該レーザ駆動装置に接続される光ディスク装置のデジタル信号処理装置など）とレーザ駆動装置との双方において予め把握されていれば上述の効果を発揮し得るが、後述する態様に設定することで更なる利得を発揮し得るものである。
【００５５】
上述のようにクロック信号と記録データ信号との間の位相差調整の間、所定のパターンを示す記録データ信号が供給される態様では、前記所定のパターンは、前記情報記録媒体が準拠する規格の中で最も短いラン長（即ち、最も短いマーク部及びスペース部）の繰返しであっても良い。
【００５６】
このように構成すれば、クロック信号と記録データ信号との間の位相差調整の間、情報記録媒体へのデータ記録のための記録データ信号は、情報記録媒体の規格に規定される最短のラン長（例えば、２Ｔ）を指定するものとなる。通常はこのようなラン長を下回るラン長のデータの記録は行われないはずであるため、ストローブのエラーにより、設定されるものよりも短いラン長でデータが記録されると判断される場合、比較的容易にこのような誤記録を検出することが可能となる。
【００５７】
更に、上述の効果に加えて、マーク部及びスペース部の切り替えが比較的頻繁に発生するため、クロック信号と記録データ信号との間の位相差調整を行うにあたり、より多くの機会を得ることが可能となる。このため、より好適にクロック信号と記録データ信号との間の位相差調整を実施することが可能となる。
【００５８】
上述のようにクロック信号と記録データ信号との間の位相差調整の間、所定のパターンを示す記録データ信号が供給される態様では、前記所定のパターンは、前記情報記録媒体が準拠する規格の中で最も長いラン長（即ち、最も長いマーク部及びスペース部）の繰返しであっても良い。
【００５９】
このように構成すれば、クロック信号と記録データ信号との間の位相差調整の間、情報記録媒体へのデータ記録のための記録データ信号は、情報記録媒体の規格に規定される最長のラン長（例えば、８Ｔ）を指定するものとなる。通常は、このようなラン長を上回るラン長のデータの記録は行われないはずであるため、ストローブのエラーにより、設定されるものよりも長いラン長でデータが記録されると判断される場合、比較的容易にこのような誤記録を検出することが可能となる。
【００６０】
上述のようにクロック信号と記録データ信号との間の位相差調整の間、所定のパターンを示す記録データ信号が供給される態様では、前記所定のパターンは、前記情報記録媒体が準拠する規格の中で最も短いラン長及び最も長いラン長の繰返しであっても良い。
【００６１】
このように構成すれば、上述した最短のマーク部と最長のマーク部の夫々を繰り返して記録する構成と同様の利得を同時に享受することが可能となる。
【００６２】
本発明のレーザ駆動装置に係る実施形態の他の態様は、前記前記調整手段が前記クロック信号と前記記録データ信号との間の位相差を調整している場合、レーザ光照射装置は、前記情報記録媒体に対し所定のレーザパワーでのレーザ光の照射を行う。
【００６３】
この態様によれば、クロック信号と記録データ信号との間の位相差調整の間、レーザ光照射装置は、レーザ駆動装置から入力される信号に関わらず、所定のレーザパワーでレーザ光の照射が行われる。このため、誤ったデータが記録されることを好適に抑制可能となる。
【００６４】
また、クロック信号と記録データ信号との間の位相差調整時にストローブされる記録データ信号に関わらずレーザ光照射装置が所定のレーザパワーでの照射を行うため、記録データ信号とクロック信号との間の位相差調整を支障なく継続することが出来る。
【００６５】
例えば、ＡＰＣエリアにおいてクロック信号と記録データ信号との間の位相差調整が実施される場合、該ＡＰＣエリアにおける本来のレーザパワーの調整動作は実施されないよう制御される。もし、クロック信号と記録データ信号との間の位相差調整と、レーザパワーの調整とが同時に実施される場合、レーザパワー調整の動作に誤作動が生じる可能性があり、適切なレーザパワーの調整が行われず、却って不具合が生じるという技術的な問題がある。このため、ＡＰＣエリアにおけるクロック信号と記録データ信号との間の位相差調整中には、一般的にＡＰＣエリアで実施されるレーザパワーの調整動作は実施されないことが好ましい。
【００６６】
好適には、ＡＰＣエリアにおけるクロック信号と記録データ信号との間の位相差調整中には、レーザ照射におけるパワー調整のためのパルス入出力が停止する。このように構成すれば、クロック信号と記録データ信号との間の位相差調整中に誤ったパルスによってレーザパワーが変動し、誤ったデータが記録されてしまう事態を好適に抑制出来る。また、クロック信号と記録データ信号との間の位相差調整中は、レーザパワーがスペース部を示す所謂スペースパワー、またはデータ読み取り用の所謂リードパワーに設定されていることがレーザパワーの安定の観点から好ましい。
【００６７】
上述のようにクロック信号と記録データ信号との間の位相差調整の間、レーザ光照射装置が所定のレーザパワーでのレーザ光の照射を行う態様においては、前記所定のレーザパワーは、データ再生用のリードパワーまたはスペース部のデータ記録用のスペースパワーであって良い。
【００６８】
このように構成することで、より好適にタイミング調整中のデータの誤記録を抑制することが可能となり、より高い記録品質でのデータの記録を実施することが可能となる。
【００６９】
本発明の情報記録装置に係る実施形態は、情報記録媒体に対してレーザ光の照射を行うことで、記録データ信号に基づくデータの記録を行う情報記録装置であって、上述した本発明のレーザ駆動装置に係る実施形態（但し、その各種態様を含む）を備える。
【００７０】
本発明の情報記録装置に係る実施形態は、上述した本発明のレーザ駆動装置に係る実施形態の各種態様を備える。従って、本発明の情報記録装置に係る実施形態によれば、上述したレーザ駆動装置の各効果を享受しながら、例えば光ディスクなどの情報記録媒体に対し、好適に情報の記録を行うことが出来る。
【００７１】
以上説明したように、本実施形態に係るレーザ駆動装置によれば、調整手段を備える。本実施形態に係る情報記録装置は、上述のレーザ駆動装置を備える。
【００７２】
従って、記録データ信号とクロック信号に基づき、ライトストラテジを生成してデータの記録を実施するための情報記録装置に備えられるレーザ駆動装置であって、好適に記録データ信号をストローブするクロック信号のタイミング調整を実施し、適切なストローブマージンを維持し、データの記録を実施することが可能となる。
【実施例】
【００７３】
以下、本発明を実施するための最良の形態について図面を参照して説明する。
【００７４】
（１）はじめに
先ず、図１を参照して、記録データ信号と、該記録データ信号ををストローブするためのクロック信号との間のストローブマージンについて説明する。図１は、本実施例における「記録データ信号」の一具体例であるＮＲＺＩ信号と、本実施例における「クロック信号」の一具体例であるＮＣＬＫ信号と、ＮＲＺＩ信号をＮＣＬＫ信号でストローブした場合のラッチＮＲＺＩ信号とを示すタイミングチャートである。ここに、ＮＲＺＩ信号は、例えば、光ディスクに記録されるデータのラン長を示す信号であって、典型的には二値的な信号値を取り得る信号である。このようなＮＲＺＩ信号によれば、例えばハイレベル（言い換えれば、信号値が１の場合）がマーク部、ローレベル（言い換えれば、信号値が０の場合）がスペース部を表現するように設定されていても良い。また、ＮＣＬＫ信号は、該ＮＲＺＩ信号によって指定される記録データのラン長をストローブするためのクロック信号である。
【００７５】
図１においてＮＲＺＩ信号は、データの記録において夫々ＮＣＬＫ信号の周期Ｔの２倍の（つまり、２Ｔ）長さを持つマーク部及びスペース部を表現している。尚、該タイミングチャートにおいては、ＮＲＺＩ信号は、ＮＣＬＫ信号の立ち上がりをトリガとしてストローブされる。
【００７６】
図１（ａ）のタイミングチャートにおいては、ＮＲＺＩ信号の立ち上がりと、該ＮＲＺＩ信号をストローブするトリガであるＮＣＬＫ信号の立ち上がりとの間に充分なストローブマージンが確保されている。
【００７７】
他方、図１（ｂ）のタイミングチャートにおいては、ＮＲＺＩ信号とＮＣＬＫ信号の位相関係、つまりＮＲＺＩ信号の立ち上がり及び立ち下がりエッジとＮＣＬＫ信号の立ち上がりエッジとの間に充分なストローブマージンがなく、両者のタイミングがほぼ重なっている。このため、各信号の伝送経路における急激な温度変化や電源電圧変動などにより、ＮＲＺＩ信号とＮＣＬＫ信号との間の位相関係が変化すると、ストローブ結果が変化する可能性がある。例えば、ＮＲＺＩ信号の立ち上がりタイミングに遅延が生じて、ＮＣＬＫ信号の立ち上がりタイミングにまだＮＲＺＩ信号がローレベルにあると判断された場合、ＮＲＺＩ信号は、ＮＣＬＫ信号の次の立ち上がりエッジでストローブされるため、ストローブの開始がＮＣＬＫ信号の１周期である１Ｔ分遅れることとなる。このとき、ＮＲＺＩ信号の立ち下がりタイミングに、ストローブが行われてしまうと、本来２Ｔの長さのマーク部が１Ｔとなってしまう。
【００７８】
このようなストローブタイミングのズレを修正するために、例えば、ＮＲＺＩ信号が正しくストローブされないことによる変調誤りが検出された場合に、直ちにＮＣＬＫ信号の位相を反転させる構成が知られている。つまり、充分なストローブマージンが確保されないことなどによって、ＮＣＬＫ信号によるストローブが失敗した場合、ＮＣＬＫ信号のトリガタイミングを立ち上がりから立ち下がりへと変更する。このため、好適なストローブマージンを確保した上で、正確なマーク長で変調を実施することが可能となる。
【００７９】
ところで、例えば上述の特許文献１に記載される構成によれば、このような位相調整は、データの記録中にストローブにエラーが生じた場合に実施されている。従って、ユーザデータエリアへのデータの記録中に生じたストローブのエラーに対してストローブのタイミング調整を実施するため、ユーザデータエリアに誤ったデータが記録される虞がある。
【００８０】
一般的に、データ記録用の光ディスクは、その内部構造がある程度規格化されている。例えば、ＢＤの内部の記録領域は、図２に示されるような複数のＲＵＢに分割され、管理されている。ＢＤにおける一つのＲＵＢは、図２に示されるように、ランイン（Ｒｕｎ−ｉｎ）エリアと、物理クラスタ（Ｐｈｙｓｉｃａｌ  Ｃｌｕｓｔｅｒ）と、ランアウト（Ｒｕｎ−ｏｕｔ）エリアから構成されている。この物理クラスタが、ユーザデータの記録される、所謂ユーザデータエリアである。
【００８１】
上述した特許文献１に記載される構成によれば、この物理クラスタへのデータの記録中にストローブのタイミング調整が実施されているため、誤記録が発生してしまうこととなる。
【００８２】
他方で、本発明に記載のレーザ駆動装置によれば、このような物理クラスタを避けて、ＮＲＺＩ信号とＮＣＬＫ信号とのタイミング（言い換えれば、位相差）の調整が実施されるよう構成することで、このような誤記録が生じるという技術的な問題が解消される。
【００８３】
例えば、図２に示されるＲＵＢの先頭であって、ランインエリアの先頭部には、ＡＰＣエリアが設けられている。このＡＰＣエリアは、基本的にはどのようなデータが記録されても、また、データが記録されていなくても、後のデータの再生などに重篤な影響を及ぼすことのないエリアであって、ある程度ユーザの所望の用途に用いることが出来る。例えば、このＡＰＣエリアを用いて、レーザパワーの調整を行う技術が知られている。
【００８４】
そこで、このようなＡＰＣエリアにおいて、より具体的には、情報記録装置の記録読取位置が光ディスクのＡＰＣエリアにあるタイミング（以降、適宜ＡＰＣタイミングと記載する）において、充分なストローブマージンが確保されるようＮＲＺＩ信号とＮＣＬＫ信号との位相差を調整することで、好適にユーザデータエリアを避け、ストローブのタイミングを適正に維持することが出来る。
【００８５】
（２）基本構成例
続いて、図３を参照して、本発明の実施例に係る「レーザ駆動装置」の一具体例であるＬＤドライバ（Ｌａｓｅｒ  Ｄｉｏｄｅ  Ｄｒｉｖｅｒ）１００の構成について説明しながら、該ＬＤドライバ１００の基本的な動作について説明する。図３は、ＬＤドライバ１００の構成を概念的に表すブロック図である。
【００８６】
図３に示されるように、ＬＤドライバ１００は、位相調整回路１０１、位相ロックループ（ＰＬＬ：Ｐｈａｓｅ  Ｌｏｃｋ  Ｌｏｏｐ）回路１０２、ストラテジ生成部１０３及び電流源１０４を備えて構成される。また、ＬＤドライバ１００は、情報記録装置１が備える光ピックアップ２３０（図１３参照）の内部に設けられ、同じく光ピックアップ２３０内に設けられるレーザダイオード（ＬＤ：Ｌａｓｅｒ  Ｄｉｏｄｅ）２３１に接続されている。また、ＬＤドライバ１００は、該情報記録装置１内に設けられるＣＰＵ２４０に接続されている。
【００８７】
ＬＤドライバ１００は、不図示の信号生成装置や、典型的にはデジタル信号処理を行う信号記録再生部２２０などに接続され、本実施例における「記録データ信号」の一具体例であるＮＲＺＩ信号及び「クロック信号」の一具体例であるＮＣＬＫ信号の入力を受け、ＮＲＺＩ信号をＮＣＬＫ信号でストローブすることで、ライトストラテジを生成する。
【００８８】
また、ＬＤドライバ１００は、光ディスクへのデータの記録中に、ＡＰＣタイミングを通知するＡＰＣＴＭＧ信号の入力を受けるよう構成される。
【００８９】
このため、ＬＤドライバ１００は、種々の信号の入力を受け、光ディスクにデータを記録するためのライトストラテジを生成し、該ライトストラテジをＬＤ２３１に出力すること出、レーザ光照射のためのレーザパワーを制御することが出来る。また、光ディスクへのデータの記録中であり、且つＡＰＣタイミングにおいて、該ライトストラテジの生成のための、ＮＲＺＩ信号をＮＣＬＫ信号でストローブするタイミングを調整することが出来るよう構成されている。
【００９０】
位相調整回路１０１は、本実施例に係る「調整手段」の一具体例であって、ＮＲＺＩ信号、ＮＣＬＫ信号及びＡＰＣＴＭＧ信号の夫々の入力を受けて、ＡＰＣタイミングにおいて、ＮＣＬＫ信号とＮＲＺＩ信号との位相を比較し、ＮＲＺＩ信号をストローブするＮＣＬＫ信号の位相を調整する。また、位相調整回路１０１は、ＮＲＺＩ信号をストラテジ生成部１０３へと出力する。
【００９１】
ＰＬＬ回路１０２は、ＮＣＬＫ信号の入力を受け、ＮＲＺＩ信号のエッジと、ＮＣＬＫ信号のエッジとが同期するよう、ＬＤドライバ１００内部でのライトストラテジ生成に用いられる内部クロック信号を生成する。また、ＰＬＬ回路１０２は、位相調整回路１０１より入力されるＮＣＬＫ信号のタイミング調整のための信号に基づき、ＮＣＬＫ信号の位相を調整する。そして、位相調整されたＮＣＬＫ信号は、ストラテジ生成部１０３へと出力される。
【００９２】
ストラテジ生成部１０３は、本実施例に係る「ストローブ手段」の一具体例であって、入力されるＮＲＺＩ信号を、ＮＣＬＫ信号でストローブすることでラッチＮＲＺＩ信号を生成し、またＣＰＵ２４０からレーザパワーの変調信号などの入力を受ける。そして、これらの信号に基づき、ライトストラテジを生成し、電流源１０４へと出力する。
【００９３】
電流源１０４は、本実施例に係る「駆動手段」の一具体例であって、ライトストラテジを実現するための複数通りのレーザパワーに夫々対応する複数通りの電圧値を供給する電流源であって、入力されるライトストラテジに応じて適宜ＬＤ２３１に対し適切な電流の供給を行う。
【００９４】
ＬＤ２３１は、光ディスク４００に対して、供給された電流に応じたレーザパワーでのレーザ光の照射を行い、データの記録を実施する。
【００９５】
以上説明した構成によって、ＮＲＺＩ信号をストローブするＮＣＬＫ信号に対して、ＡＰＣタイミングにおいて位相調整を行った上で、データの記録を実施することが出来る。このとき、光ディスク４００の各部と、データ記録時のタイミングとは、図４のタイミングチャートに示される関係となっている。
【００９６】
ここに、図４は、データ記録時のＬＤドライバ１００の動作を概略的に示すタイミングチャートであって、更に、回転する光ディスク４００への記録位置と、照射するレーザ光の波形も同時に示されている。
【００９７】
図４に示されるとおり、光ディスク４００へのデータの記録中、記録位置がＡＰＣエリアに達する度に、例えば情報記録装置１に備えられる光ピックアップ２３０内のデジタル信号処理回路などの動作によってＡＰＣタイミングが検出される。このＡＰＣタイミングは、ＬＤドライバ１００へと入力されるＡＰＣＴＭＧ信号がハイレベルとなることでＬＤドライバ１００へと伝達される。そして、このＡＰＣＴＭＧ信号に示されるタイミングに基づいて、ＬＤドライバ１００により、ＮＣＬＫ信号の位相調整が実施される。
【００９８】
尚、ＬＤドライバ１００の基本構成例に係る説明においては、ＮＲＺＩ信号をストローブするためのＮＣＬＫ信号の位相を調整する態様について説明したが、他方で、ＮＲＺＩ信号の位相を調整するよう構成されていても良い。このような構成によれば、好適に上述のＮＣＬＫ信号の位相を調整することで、ＮＲＺＩ信号とＮＣＬＫ信号との位相差を調整する構成と同様の効果を享受することが出来る。
【００９９】
また、クロック信号のタイミング調整の間は、信号記録再生部２２０は、ＬＤドライバ１００に対し、予め設定される所定のパターンのマーク部及びスペース部を記録するためのＮＲＺＩ信号を入力するよう構成されていても良い。このように構成することで、予め設定された所定のパターンと異なるデータが記録されると判断される場合、記録データ信号のストローブが適切に行われていないと判断できるため、ストローブのエラーを好適に検出することが可能となる。
【０１００】
このような所定のパターンとは、少なくとも信号記録再生部２２０とＬＤドライバ１００との双方において予め把握されているものであって、より好適には、光ディスクの規格における最短のマーク部の繰返し、最長のマーク部の繰返し、または最短及び最長のマーク部の繰返しである。
【０１０１】
このように構成することで、比較的容易にランレングス違反を検出することが可能となり、該ランレングス違反の検出をフィードバック的に用いることで、ＮＣＬＫ信号のタイミング調整の精度をより上昇させることが可能となる。更に、最短のマーク部を用いることで、比較的高頻度でＮＲＺＩ信号のエッジが現れるため、ＮＣＬＫ信号のタイミング調整の機会も比較的多くなるとの利点もある。
【０１０２】
また、ＡＰＣエリアにおいてＮＣＬＫ信号の位相調整が実施される場合、ＬＤ２３１は、ＮＲＺＩ信号のストローブ結果に関わらず、予め設定される態様でレーザ光の照射を実施するよう構成されていても良い。このとき、ＬＤ２３１が照射するレーザ光の態様とは、例えば、スペース部を示す所謂スペースパワー、またはデータ読み取り用の所謂リードパワーであって良く、他方で、ＮＣＬＫ信号に同期した所定の固定パターンでレーザパワーを変動させるよう照射しても良い。
【０１０３】
このように構成することで、ＮＲＺＩ信号とＮＣＬＫ信号との位相差を調整している間に、ストローブされるＮＲＺＩ信号によってＬＤ２３１に本来照射すべきでないライトストラテジが入力され、光ディスク４００に対し誤ったデータが記録されるという事態を回避することが出来る。このとき、ＬＤ２３１は、典型的にはＣＰＵ２４０や不図示のレジスタなどに格納されるレーザパワーのパターンを照射する指示を受け、ＮＲＺＩ信号のストローブ結果と直接的な関係のない照射を実施するよう構成されている。
【０１０４】
例えば、図４のタイミングチャートに示される例では、ＡＰＣエリアに対して、一律にスペースパワーでのレーザ光の照射が実施されている。このため、より好適にタイミング調整中のデータの誤記録を抑制することが可能となり、より高い記録品質でのデータの記録を実施することが可能となる。
【０１０５】
他方、ＮＣＬＫ信号に同期する所定のパターンでのレーザ光の照射を行う場合、後のデータの再生時に、比較的安定した位相ロックループの引き込みが可能となるという利点も享受することが出来る。
【０１０６】
（３）基本動作例
続いて、図５を参照して、本実施例に係るＬＤドライバ１００の動作の流れについて説明する。ここに、図５は、本実施例に係るＬＤドライバ１００の基本的な動作の流れを示すフローチャートである。
【０１０７】
先ず、図５のフローチャートに示される基本的な動作について説明する。本実施例のＬＤドライバ１００は、先ず、ＣＰＵ２４０からなどのデータ記録指令を受け取ることで動作を開始する（ステップＳ１０１）。このとき、ＬＤドライバ１００は、入力されるＮＲＺＩ信号と、ＮＣＬＫ信号とに基づき、好適なＮＲＺＩ信号のストローブが実施されるように、ＮＣＬＫ信号の位相調整を実施する（ステップＳ１０２）。そして、ＮＲＺＩ信号が適正なストローブマージンを確保した上で、ＮＣＬＫ信号にストローブされることで、ライトストラテジが生成され、データの記録が開始される（ステップＳ１０３）
データの記録中、外部からの信号などによりＮＣＬＫ信号の位相調整指令が入力される場合（ステップＳ１０４：Ｙｅｓ）、ＬＤドライバ１００は、ＮＣＬＫ信号の位相調整を実施する（ステップＳ１０５）。このときの位相調整指令は、具体的には、ＡＰＣタイミングの検出、光ディスク４００の読み取り位置における線速の変更、またはＬＤドライバ１００の内部温度の変化などが一条件として入力される。このようなＬＤドライバ１００の基本的な動作について、図６から図８を参照して説明する。尚、図６から図８は、本実施例に係るＬＤドライバ１００のより詳細な動作例を示すフローチャートである。また、図６から図８において、図５と同等の動作については同一の番号を付して説明を省略している。
【０１０８】
図６のフローチャートに示される動作例においては、ＬＤドライバ１００は、光ピックアップ２３０の光ディスク４００上の記録読取位置がＡＰＣエリアである場合を条件に、位相調整指令が入力される（ステップＳ２０１）。より具体的には、ＬＤ２３１から照射されるレーザ光の反射光がＰＤ２３２により検出され、光ディスク４００上の記録読取位置がＡＰＣエリアであることが検出される場合、ＡＰＣＴＭＧ信号を用いてＬＤドライバ１００にＡＰＣタイミングであることが伝達される。
【０１０９】
ＬＤドライバ１００は、該ＡＰＣタイミングに応じて、または該ＡＰＣタイミングをトリガとする他の位相調整指令信号の入力に応じて、ＮＣＬＫ信号の位相調整を実施する。このため、図６に示される動作例によれば、ＡＰＣエリアにおいて選択的且つ周期的または断続的に位相調整を実施することが可能となる。
【０１１０】
図７のフローチャートに示される動作例においては、ＬＤドライバ１００は、光ピックアップ２３０の記録読取位置における光ディスク４００の線速度が変更したか否か（または、線速変更指令が入力されたか否か）を判定する（ステップＳ３０１）。ここで、線速に変更が生じたことが検出される場合、記録読取位置が光ディスク４００上のＡＰＣエリアであるＡＰＣタイミングにおいて（ステップＳ２０１：Ｙｅｓ）、位相調整指令が入力される（ステップＳ１０５）。
【０１１１】
従って、ＬＤドライバ１００は、光ディスク４００の線速に変化が生じた場合、ＡＰＣタイミングに応じてＮＣＬＫ信号の位相調整を実施する。このため、図７に示される動作例によれば、線速の変更に伴って、ＮＣＬＫ信号のパルス幅に変更が生じることを好適に検出することが出来る。そして、ＡＰＣエリアにおいて選択的且つ周期的または断続的に位相調整を実施することで、ＮＣＬＫ信号のパルスの変更に起因するストローブタイミングのズレの修正が可能となる。
【０１１２】
図８のフローチャートに示される動作例においては、ＬＤドライバ１００は、当該ＬＤドライバ１００内部に所定の閾値を超えて温度変化が生じたか否かを判定する（ステップＳ４０１）。ここで、所定の閾値を超えて温度変化が生じたことが検出される場合、記録読取位置が光ディスク４００上のＡＰＣエリアであるＡＰＣタイミングにおいて（ステップＳ２０１：Ｙｅｓ）、位相調整指令が入力される（ステップＳ１０５）。
【０１１３】
従って、ＬＤドライバ１００は、内部温度が所定の閾値を超えて変化した場合、ＡＰＣタイミングに応じてＮＣＬＫ信号の位相調整を実施する。このため、図８に示される動作例によれば、内部温度の変更に伴って、ＮＣＬＫ信号の伝送経路における信号遅延などによって入出力間のタイミングに変化が生じることを好適に検出することができる。そして、ＡＰＣエリアにおいて選択的且つ周期的または断続的に位相調整を実施することで、ＮＣＬＫ信号の伝送タイミングのズレに起因するストローブタイミングのズレの修正が可能となる。
【０１１４】
以上、説明したように本実施例のＬＤドライバ１００の各種基本動作によれば、典型的には、ユーザデータエリア外のＡＰＣエリアに記録読取位置がある、所謂ＡＰＣタイミングの間にＮＣＬＫ信号の位相調整を実施することが出来る。更に、ＮＣＬＫ信号のストローブタイミングにズレが生じる代表的な要因である、記録読取位置における光ディスク４００の線速変化や、ＬＤドライバ１００内部の温度変化に対応して、該ＮＣＬＫ信号の位相調整が実施される。従って、ＮＣＬＫ信号の適正な位相を維持した上で、データの記録が実施される。
【０１１５】
尚、本実施例のＬＤドライバ１００は、上述の図５から図８に示す基本的な動作のうち、いずれか一つを採用して構成されていても良く、また複数の動作を適宜組み合わせて動作するよう構成されていても良い。
【０１１６】
（４）他の構成例
続いて、図９から図１２を参照して、本実施例のＬＤドライバ１００の他の構成例について説明する。具体的には、ＬＤドライバ１００が備える位相調整回路１０１を他の構成に置き換えた構成例について、その効果の概要とともに説明する。
【０１１７】
先ず、図９及び図１０を参照して、ＬＤドライバ１００の他の構成例であるＬＤドライバ１００ａについて説明する。図９は、該ＬＤドライバ１００ａの基本的な構成を示すブロック図であり、図１０は、ＬＤドライバ１００ａによりＮＣＬＫ信号の位相調整の態様を示すタイミングチャートである。尚、各図において、既出の構成と同様の構成については、同様の番号を付して説明を省略している。便宜上、ＬＤドライバ１００ａで用いられる位相調整の手法を、位相反転方式と称する。
【０１１８】
位相反転方式を採用するＬＤドライバ１００ａは、位相調整回路１０１の代わりに、Ｄ−フリップフロップ（Ｄ−ＦＦ）回路１０５及び位相反転回路１０６を備え、更にマーク／スペース長（Ｍ／Ｓ長）判別部１０７を備える。
【０１１９】
図１０に示されるタイミングチャートにおいては、ＮＲＺＩ信号をＮＣＬＫ信号でストローブする際の各信号の位相関係が示されている。図１０において、ＤＮＲＺＩ（ＵｐＥｄｇｅ）は、ＮＲＺＩ信号をＮＣＬＫ信号の立ち上がりエッジでストローブする場合の信号を示し、ＤＮＲＺＩ（ＤｏｗｎＥｄｇｅ）は、ＮＲＺＩ信号をＮＣＬＫ信号の立ち下がりエッジでストローブする場合の信号を示す。
【０１２０】
ここで、図１０に示されるＮＲＺＩ信号とＮＣＬＫ信号の位相関係、つまりＮＲＺＩ信号の立ち上がり及び立ち下がりエッジとＮＣＬＫ信号の立ち上がりエッジとの間には、充分なストローブマージンがなく、両者のタイミングがほぼ重なっている。このため、信号の伝送経路における急激な温度変化や電源電圧変動などにより、ＮＲＺＩ信号とＮＣＬＫ信号との間の位相関係が変化すると、ＤＮＲＺＩ（ＵｐＥｄｇｅ）において点線で示されるようにストローブ結果が変化する可能性がある。
【０１２１】
そこで、図６に示される位相反転回路１０７の動作により、ＮＣＬＫ信号の位相を１８０度反転（つまり、０．５Ｔ位相をズラす）させることにより、ＮＣＬＫ信号の立ち下がりエッジでストローブを実施する場合と同様に０．５Ｔ程度の充分なストローブマージンが確保される。従って、上述したように何らかの要因によってＮＲＺＩ信号とＮＣＬＫ信号間の位相関係が変化した場合においても、ＤＮＲＺＩ（ＤｏｗｎＥｄｇｅ）に示されるように、ＮＲＺＩ信号の好適なストローブを実現出来、適切なマーク部を指定することが出来る。
【０１２２】
また、Ｍ／Ｓ長判別部１０７の動作によって、ＮＣＬＫ信号でストローブされたＮＲＺＩ信号（例えば、ＤＮＲＺＩ（ＵｐＥｄｇｅ））のマーク長またはスペース長を判別することで、ランレングス違反などのストローブエラーを好適に検出することが可能となる。このため、比較的容易にストローブのエラーを抽出可能となり、より高精度のＮＣＬＫ信号のタイミング調整が可能となる。
【０１２３】
次に、図１１及び図１２を参照して、ＬＤドライバ１００の他の構成例であるＬＤドライバ１００ｂについて説明する。図１１は、該ＬＤドライバ１００ａの基本的な構成を示すブロック図であり、図１２は、ＬＤドライバ１００ａによりＮＣＬＫ信号の位相調整の態様を示すタイミングチャートである。尚、各図において、既出の構成と同様の構成については、同様の番号を付して説明を省略している。便宜上、ＬＤドライバ１００ｂで用いられる位相調整の手法を、多相クロック方式と称する。
【０１２４】
多相クロック方式を採用するＬＤドライバ１００ｂは、位相調整回路１０１の代わりに、セレクタ１０８及び多相クロック生成部１０９を備え、更にマーク／スペース長（Ｍ／Ｓ長）判別部１０７を備える。このような多相クロック信号の動作によれば、ＰＬＬ回路１０３に入力されたＮＣＬＫ信号（図１２においては、ＮＣＬＫ１で示される）に対し、所定量の位相ズレを加えた複数のクロック信号（即ち、ＮＣＬＫ０信号からＮＣＬＫ５信号）が生成される。
【０１２５】
図１２に示されるタイミングチャートにおいては、ＮＲＺＩ信号と、複数のクロック信号、及びＮＲＺＩ信号を各クロック信号でストローブする際の各信号の位相関係が示されている。例えば、ＮＲＺＩ信号に対し、ＮＣＬＫ０でストローブする場合の信号がＤＮＲＺＩ０信号で示される。尚、図１２のタイミングチャートにおいては、ＮＲＺＩ信号の立ち上がり及び立ち下がりエッジが、各クロック信号の立ち上がりエッジでストローブされる場合について示されている。
【０１２６】
多相クロック方式を採用するＬＤドライバ１００ｂにおいては、このように互いに位相をズラして生成される複数のクロック信号がセレクタ１０８へと入力される。そしてセレクタ１０８において、ＮＲＺＩ信号をストローブするための好適なクロック信号が選択されてストラテジ生成部１０３へと入力される。
【０１２７】
図１２に示されるように、ＮＲＺＩ信号の立ち上がり及び立ち下がりエッジとＮＣＬＫ１の立ち上がりエッジとの間には、充分なストローブマージンがなく、両者のタイミングがほぼ重なっている。このため、セレクタ１０８は、生成される複数のクロック信号の中から好適なストローブマージンを確保できるクロック信号（例えば、ＮＣＬＫ４またはＮＣＬＫ５など）を選択し、ライトストラテジの生成のためのストローブのための信号として採用する。
【０１２８】
このとき、選択されるクロック信号は、典型的には、上述した何らかの要因によって生じるＮＲＺＩ信号との位相関係の変化に対して比較的充分な位相差を備える信号であって、そのような条件を満たす信号の中から適宜、またはその他何らかの条件に従って選択されて良いものである。このような構成によれば、何らかの要因により、ＮＲＺＩ信号とＮＣＬＫ信号間の位相関係に変化が生じた場合であっても、ＮＲＺＩ信号の好適なストローブを実現出来、適切なマーク部を指定することが出来る。
【０１２９】
（５）情報記録装置の構成例
次に、図１３を参照して、本実施例に係る情報記録装置１の基本構成について説明する。ここに、図１３は、本実施例に係る情報記録装置１の基本的な構成を概念的に示すブロック図である。尚、情報記録装置１は、上述のＬＤドライバ１００を備える光ピックアップ２３０を備え、少なくとも、マウントされた光ディスク４００に対してデータを記録する機能を備える。
【０１３０】
図１３に示すように、情報記録装置１は、実際に光ディスク４００がローディングされ且つデータの記録が行なわれるディスクドライブ２００と、該ディスクドライブ２００に対するデータの記録を制御するパーソナルコンピュータ等のホストコンピュータ３００とを備えている。
【０１３１】
ディスクドライブ２００は、光ディスク４００、スピンドルモータ２１０、信号記録再生部２２０、光ピックアップ２３０、ＣＰＵ２４０、メモリ２５０、入出力制御部２６０及びバス２７０を備えて構成されている。また、ホストコンピュータ３００は、夫々不図示の操作／表示制御手段、操作ボタン、表示パネル、ＣＰＵ、メモリ、入出力制御手段及びバスなどを備えて構成される。
【０１３２】
スピンドルモータ２１０は光ディスク４００を回転及び停止させるもので、光ディスク４００へのアクセス時に動作する。より詳細には、スピンドルモータ２１０は、図示しないサーボユニット等によりスピンドルサーボを受けつつ所定速度で光ディスク４００を回転及び停止させるように構成されている。
【０１３３】
信号記録再生部２２０は、ＣＰＵ２４０の制御を受けながらスピンドルモータ２１０及び光ピックアップ２３０の動作を夫々制御することで、光ディスク４００に対して記録を行う。より具体的には、信号記録再生部２２０は、例えば、ヘッドアンプなどによって構成されている。ヘッドアンプは、光ピックアップ２３０内に設けられたフォトディテクタ２３２の出力信号（即ち、レーザ光の反射光を示す信号であって、読取信号）を増幅し、該増幅した信号を出力する。また、信号記録再生部２２０は、後述するホストコンピュータ３００からの光ディスク４００に係る情報や記録データなどの入力を受け、ＬＤドライバ１００へと出力する。
【０１３４】
また、本実施例における信号記録再生部２２０は、特に光ディスク４００の読み取り情報からＡＰＣタイミングを検出し、該ＡＰＣタイミングを通知するＡＰＣＴＭＧ信号をＬＤドライバ１００に出力するよう構成されている。
【０１３５】
光ピックアップ２３０は、光ディスク４００への記録を行うために、例えばＬＤ２３１、上述したＬＤドライバ１００、フォトディテクタ（ＰＤ：Ｐｈｏｔｏ  Ｄｅｔｅｃｔｏｒ）２３２、図示しないコリメータレンズや対物レンズなどを備えて構成される。より詳細には、データの記録時には、ＬＤ２３１は、ＬＤドライバ１００の制御のもと、光ディスク４００に対してレーザ光ＬＢをパワーを変更させながら照射する。このとき、ＬＤドライバ１００は、上述したようにライトストラテジを実現させるための、例えば駆動信号を生成し、ＬＤ２３１を駆動する。その結果、光ディスク４００の記録面上に、データに応じたデータパターンが形成される。
【０１３６】
ＣＰＵ２４０は、信号記録再生部２２０、メモリ２５０及び入出力制御部２６０と、バス２７０を介して接続され、各部に指示を行うことで、ディスクドライブ２００全体の制御を行う。通常、ＣＰＵ２４０が動作するためのソフトウェア又はファームウェアは、メモリ２５０に格納されている。
【０１３７】
メモリ２５０は、記録動作などに用いられるデータのバッファ領域や信号記録再生部２２０で使用できるデータに変換する時の中間バッファとして使用される領域等であって、ディスクドライブ２００におけるデータ処理全般において使用される。また、メモリ２５０は、情報記録装置１の動作を行うためのプログラム（即ち、ファームウェア）が格納されるＲＯＭ領域と、記録動作などに用いられるデータが一時的に格納されたりファームウェア等の動作に必要な変数等が格納されたりするＲＡＭ領域などから構成される。
【０１３８】
入出力制御部２６０は、ディスクドライブ２００に対する外部からのデータ入出力を制御する。ＳＣＳＩやＡＴＡＰＩなどのインタフェースを介してディスクドライブ２００と接続されている外部のホストコンピュータ３００から発行されるドライブ制御命令は、入出力制御部２６０を介してＣＰＵ２４０に伝達される。また、記録動作などに用いられるデータも同様に、入出力制御部２６０を介して、ホストコンピュータ３００とやり取りされる。
【０１３９】
以上説明した、情報記録装置１の一具体例は、例えば、公知のパーソナルコンピュータやワークステーションなどであるホストコンピュータ３００の制御のもと、データの記録を行うディスクドライブである。また、別の具体例では、映像を記録するレコーダ機器等の家庭用機器である。このレコーダ機器は、その内部にディスクドライブ部とそれをコントロールするコントロール部を備えており、このコントロール部が図６のホストコンピュータに相当する。
【０１４０】
本発明は、上述した実施例に限られるものではなく、特許請求の範囲及び明細書全体から読み取れる発明の要旨或いは思想に反しない範囲で適宜変更可能であり、そのような変更を伴うレーザ駆動装置及び情報記録装置もまた本発明の技術的範囲に含まれるものである。
【符号の説明】
【０１４１】
１  情報記録装置、
１００  ＬＤドライバ、
１０１  位相調整回路、
１０２  ＰＬＬ回路、
１０３  ストラテジ生成部、
１０４  電流源、
２００  ディスクドライブ、
２１０  スピンドルモータ
２２０  信号記録再生部、
２３０  光ピックアップ、
２３１  レーザダイオード（ＬＤ）、
２３２  フォトディテクタ（ＰＤ）、
２４０  ＣＰＵ、
３００  ホストコンピュータ、
４００  光ディスク。
【図１】
2010262707.tif 000003
【図２】
2010262707.tif 000004
【図３】
2010262707.tif 000005
【図４】
2010262707.tif 000006
【図５】
2010262707.tif 000007
【図６】
2010262707.tif 000008
【図７】
2010262707.tif 000009
【図８】
2010262707.tif 000010
【図９】
2010262707.tif 000011
【図１０】
2010262707.tif 000012
【図１１】
2010262707.tif 000013
【図１２】
2010262707.tif 000014
【図１３】
2010262707.tif 000015